(57)【要約】【課題】停電が短時間であっても主電源をオンにすることができる情報処理装置を提供する。【解決手段】処理部を制御する第１制御部と、前記第１制御部に電力を供給する第１電源と、前記第１電源をオン又はオフに切替える切替部と、設定に応じて動作し、前記切替部を制御する第２制御部と、前記第２制御部に電力を供給する第２電源と、前記第２電源の電圧が予め定められた電圧未満になった場合には、前記切替部が前記第１電源をオフに切替えるように前記第２制御部に対する前記設定を行い、前記第２電源の電圧が予め定められた電圧以上になった場合には、前記切替部が前記第１電源をオンに切替えるように前記第２制御部に対する前記設定を行う設定変更部と、を有する。【選択図】図１
2014123345.tif 000002
【特許請求の範囲】
【請求項１】
処理部を制御する第１制御部と、
前記第１制御部に電力を供給する第１電源と、
前記第１電源をオン又はオフに切替える切替部と、
設定に応じて動作し、前記切替部を制御する第２制御部と、
前記第２制御部に電力を供給する第２電源と、
前記第２電源の電圧が予め定められた電圧未満になった場合には、前記切替部が前記第１電源をオフに切替えるように前記第２制御部に対する前記設定を行い、前記第２電源の電圧が予め定められた電圧以上になった場合には、前記切替部が前記第１電源をオンに切替えるように前記第２制御部に対する前記設定を行う設定変更部と、
を有することを特徴とする情報処理装置。
【請求項２】
前記第１電源の電圧が予め定められた電圧以上になった場合には、前記第１制御部を起動させ、前記第１電源の電圧が予め定められた電圧未満になった場合には、前記第１制御部を停止させる起動停止制御部
をさらに有し、
前記第２制御部は、
前記第２電源の電圧が予め定められた電圧未満になった場合には、前記設定変更部が行う前記設定に応じて停止し、前記第２電源の電圧が予め定められた電圧以上になった場合には、前記設定変更部が行う前記設定に応じて起動すること
を特徴とする請求項１に記載の情報処理装置。
【請求項３】
前記第１制御部が予め定められた手順に沿って停止したか否かを示す情報を記憶する記憶部
をさらに有し、
前記第２制御部は、
前記情報に応じて前記切替部を制御すること
を特徴とする請求項１又は２に記載の情報処理装置。
【請求項４】
前記第２制御部は、
前記切替部が前記第１電源をオフに切替えた後に再びオンに切替える場合、予め定められた時間が経過した後に前記第１電源をオンにするように前記切替部を制御すること
を特徴とする請求項１乃至３のいずれか１項に記載の情報処理装置。
【請求項５】
交流電圧を直流電圧に変換し、前記第１電源及び前記第２電源に直流電圧を印加するコンバータと、
オン又はオフすることにより、前記コンバータに対して交流電圧を印加又は遮断するリレーと、
起電力が前記第２電源と略同じである二次電池と、
前記リレーがオンである間に前記二次電池に蓄電を行い、前記リレーがオフである間は前記二次電池から前記第２電源に電力を供給するよう制御する電池制御部と、
をさらに有し、
前記切替部は、
前記コンバータが変換した直流電圧を前記第１電源に対して印加又は遮断することにより前記第１電源をオン又はオフに切替え、
前記第２制御部は、
前記切替部が前記第１電源をオフに切替えた場合に、前記リレーをオフにすること
を特徴とする請求項１乃至４のいずれか１項に記載の情報処理装置。
【請求項６】
前記電池制御部は、
前記二次電池の蓄電残量が予め定められた蓄電量以上であるか否かを示す蓄電量信号を前記第２制御部に対して出力し、
前記第２制御部は、
前記蓄電量信号が示す蓄電残量が予め定められた蓄電量未満である場合には、前記リレーをオンにすること
を特徴とする請求項５に記載の情報処理装置。
【請求項７】
発電する発電部をさらに有し、
前記電池制御部は、
前記コンバータが変換した直流電圧よりも前記発電部が発電した電力を優先して前記第２電源に電力供給し、余剰電力を前記二次電池に蓄電するよう制御すること
を特徴とする請求項５又は６に記載の情報処理装置。
【請求項８】
ネットワークを介して外部機器と通信を行う通信部
をさらに有し、
前記第２電源は、
前記通信部に対して電力を供給すること
を特徴とする請求項１乃至７のいずれか１項に記載の情報処理装置。
【請求項９】
前記第２制御部を介してファクシミリの着呼を受けること
を特徴とする請求項１乃至８のいずれか１項に記載の情報処理装置。
【発明の詳細な説明】
【技術分野】
【０００１】
本発明は、情報処理装置に関する。
【背景技術】
【０００２】
主電源のみをオフにする待機状態に移行可能な情報処理装置では、主電源のオン・オフを電気信号によって制御する必要がある。主電源にロッカースイッチが用いられる場合、主電源のオン・オフを切替えるためにはユーザーによるロッカースイッチの操作が必要である。また、電気信号でロッカースイッチをオン・オフさせるためには、高価でサイズの大きな電気制御専用のロッカースイッチを用いる必要があった。
【０００３】
また、主電源のオン・オフを切替えるスイッチとしてシンプルな構成のプッシュスイッチを用いると、情報処理装置の動作中に停電が発生した場合、自動的に復帰させることが困難であった。
【０００４】
例えば、特許文献１には、運用中に停電が発生しても、給電部からの電力供給がなされた時に商用電源からの電力供給が絶たれる前の動作状態に応じて、トランジスタをオン状態、又はオフ状態に制御することにより、停電前の状態に復帰させる電子機器が開示されている。
【発明の概要】
【発明が解決しようとする課題】
【０００５】
しかしながら、停電が短時間であった場合には、主電源をオンにすることができないという問題があった。
【０００６】
本発明は、上記に鑑みてなされたものであって、停電が短時間であっても主電源をオンにすることができる情報処理装置を提供することを目的とする。
【課題を解決するための手段】
【０００７】
上述した課題を解決し、目的を達成するために、本発明は、処理部を制御する第１制御部と、前記第１制御部に電力を供給する第１電源と、前記第１電源をオン又はオフに切替える切替部と、設定に応じて動作し、前記切替部を制御する第２制御部と、前記第２制御部に電力を供給する第２電源と、前記第２電源の電圧が予め定められた電圧未満になった場合には、前記切替部が前記第１電源をオフに切替えるように前記第２制御部に対する前記設定を行い、前記第２電源の電圧が予め定められた電圧以上になった場合には、前記切替部が前記第１電源をオンに切替えるように前記第２制御部に対する前記設定を行う設定変更部と、を有する。
【発明の効果】
【０００８】
本発明によれば、停電が短時間であっても主電源をオンにすることができるという効果を奏する。
【図面の簡単な説明】
【０００９】
【図１】図１は、実施の形態にかかる情報処理装置である画像形成装置の概要を例示する構成図である。
【図２】図２は、商用電源が停電から復旧した場合の画像形成装置の動作を示すフローチャートである。
【図３】図３は、主電源がオンになる場合の画像形成装置の動作例を示すフローチャートである。
【図４】図４は、主電源がオフになる場合の画像形成装置の動作例を示すフローチャートである。
【図５】図５は、電源プラグがコンセントに接続された後に、短時間停電が生じた場合の第１電源、第２電源及びその周辺の動作を示すタイミングチャートである。
【図６】図６は、各電源の電圧が上昇するタイミングを示したタイミングチャートである。
【図７】図７は、図６に示したタイミングが生じ得る電源系統を示す図である。
【図８】図８は、画像形成装置の第１の変形例の概要を例示する構成図である。
【図９】図９は、画像形成装置の第２の変形例の概要を例示する構成図である。
【図１０】図１０は、画像形成装置の第３の変形例の概要を例示する構成図である。
【図１１】図１１は、画像形成装置の第４の変形例の概要を例示する構成図である。
【図１２】図１２は、画像形成装置の第５の変形例の概要を例示する構成図である。
【発明を実施するための形態】
【００１０】
以下に添付図面を参照して、情報処理装置の実施の形態を詳細に説明する。図１は、実施の形態にかかる情報処理装置である画像形成装置１の概要を例示する構成図である。画像形成装置１は、電源部２、電力制御部（第２制御部）３、コントローラ（第１制御部）４、パネル１０、プロッタ１２、スキャナ１４、ファックス１６及びプッシュスイッチ１８を有する。
【００１１】
パネル１０は、画像形成装置１に関する情報を表示する。プロッタ１２は、画像形成装置１が形成する画像を用紙などに出力する。スキャナ１４は、画像を読取る。ファックス１６は、外部機器との間でファクシミリによる通信を行う。つまり、パネル１０、プロッタ１２、スキャナ１４及びファックス１６は、処理を行う処理部となっている。プッシュスイッチ１８は、例えばユーザーによって押下されると、後述するマイコン３０及びＣＰＵ４４に対して押下を示すパルスを出力する。
【００１２】
電源部２は、コンバータ２０、電源制御スイッチ２２、第１リセットＩＣ２４、第２リセットＩＣ２６、第１電源２８ａ及び第２電源２８ｂを有する。コンバータ２０は、電源プラグ２００を介して供給される交流電圧（ＡＣ電源）を直流電圧に変換し、第１電源２８ａ及び第２電源２８ｂに直流電圧を印加する。電源制御スイッチ（切替部）２２は、電力制御部３の制御に応じて第１電源２８ａをオン又はオフに切替える。
【００１３】
第１リセットＩＣ２４は、第１電源２８ａの電圧が予め定められた電圧（ＲＳＴＡ検知レベル：閾値）以上になった場合には、後述するＣＰＵ４４を起動させ、第１電源２８ａの電圧がＲＳＴＡ検知レベル未満になった場合には、ＣＰＵ４４を停止させる。具体的には、第１リセットＩＣ２４は、第１電源２８ａの電圧に応じてリセット信号（ＲＳＴＡ＿Ｎ）のアサートとネゲートとを切替える。
【００１４】
第２リセットＩＣ２６は、第２電源２８ｂの電圧が予め定められた電圧（ＲＳＴＢ検知レベル：閾値）以上になった場合には、後述するマイコン３０を起動させ、第２電源２８ｂの電圧がＲＳＴＢ検知レベル未満になった場合には、マイコン３０を停止させる。具体的には、第２リセットＩＣ２６は、第２電源２８ｂの電圧に応じてリセット信号（ＲＳＴＢ＿Ｎ）のアサートとネゲートとを切替える。なお、ＲＳＴＡ検知レベル及びＲＳＴＢ検知レベルは、いずれもすべてのデバイスの推奨動作電圧以上に設定されている。また、ＲＳＴＢ検知レベルは、ＲＳＴＡ検知レベルよりも高く設定されている。
【００１５】
第１電源２８ａは、コントローラ４、パネル１０、プロッタ１２、スキャナ１４及びファックス１６に直流電圧を印加する。第２電源２８ｂは、電力制御部３に直流電圧を印加する。
【００１６】
電力制御部３は、マイコン（microcomputer）３０を有する。マイコン３０は、図示しないＣＰＵなどのプロセッサ、ＲＡＭ３１、ＲＳＴ３２、ＧＰＩＯ（General  Purpose  Input/Output）３３，３４，３５，３６、コントローラインターフェイス（ＩＦ）３７及び不揮発性メモリ３８を集積した集積回路である。なお、マイコン３０は、不揮発性メモリ（記憶部）３８などの集積した各部がチップ外に設けられる構成であってもよい。つまり、マイコン３０が第２制御部として機能してもよいし、マイコン３０の図示しないＣＰＵなどが第２制御部として機能してもよい。
【００１７】
マイコン３０は、ＲＳＴ３２によって第２リセットＩＣ２６が出力するリセット信号（ＲＳＴＢ＿Ｎ）を受入れる。マイコン３０は、ＧＰＩＯ３４によってＰＯＷＥＲ＿ＯＮ信号を出力し、電源制御スイッチ２２のオン・オフを制御する。マイコン３０は、ＧＰＩＯ３５によって第１リセットＩＣ２４が出力するリセット信号（ＲＳＴＡ＿Ｎ）を受入れる。マイコン３０は、ＧＰＩＯ３６によってプッシュスイッチ１８の押下を検出する。マイコン３０は、コントローラＩＦによって後述するＣＰＵ４４と通信を行う。
【００１８】
コントローラ４は、ＲＡＭ４０、ＲＯＭ４２及びＣＰＵ４４を有する。ＣＰＵ４４は、ＲＡＭインターフェイス（ＩＦ）４４０、ＲＯＭインターフェイス（ＩＦ）４４１、ネットワークＩＦ４４２、ＲＳＴ４４３、第１ＩＦ４４４、第２ＩＦ４４５、第３ＩＦ４４６、第４ＩＦ４４７、マイコンＩＦ４４８及びＧＰＩＯ４４９を有する集積回路である。従って、コントローラ４が第１制御部として機能してもよいし、ＣＰＵ４４が第１制御部として機能してもよい。また、マイコン３０及びＣＰＵ４４は、１チップ内に含まれていてもよい。
【００１９】
ネットワークＩＦ４４２は、外部のＰＣ（Personal  Computer）１００などとネットワークを介して通信を行う通信部である。第１ＩＦ４４４は、パネル１０と通信を行うパネルインターフェイスである。第２ＩＦ４４５は、プロッタ１２と通信を行うプロッタインターフェイスである。第３ＩＦ４４６は、スキャナ１４と通信を行うスキャナインターフェイスである。第４ＩＦ４４７は、ファックス１６と通信を行うファックスインターフェイスである。
【００２０】
ＣＰＵ４４は、ＲＳＴ４４３によって第１リセットＩＣ２４が出力するリセット信号（ＲＳＴＡ＿Ｎ）を受入れる。ＣＰＵ４４は、マイコンＩＦ４４８によってマイコン３０と通信を行う。ＣＰＵ４４は、ＧＰＩＯ４４９によってプッシュスイッチ１８の押下を検出する。プッシュスイッチ１８は、画像形成装置１の主電源である第１電源２８ａのオン・オフを切替えるためにユーザーに押下される。以下、図１に示した画像形成装置１を構成する部分と実質的に同一である部分には同一の符号が付してある。
【００２１】
次に、画像形成装置１の動作について説明する。電源プラグ２００がコンセントに接続されると、コンバータ２０は電源プラグ２００からの交流電圧を直流電圧に変換し、第２電源２８ｂに直流電圧が印加される。第２電源２８ｂは、直流電圧をマイコン３０に印加する。
【００２２】
主電源である第１電源２８ａがオフの状態でプッシュスイッチ１８が押下されると、マイコン３０がプッシュスイッチ１８の押下を検出する。マイコン３０は、プッシュスイッチ１８の押下を検出すると、電源制御スイッチ２２をオンにすることにより、第１電源２８ａをオンにする。第１電源２８ａがオンにされると、コントローラ４、パネル１０、プロッタ１２、スキャナ１４及びファックス１６は、第１電源２８ａから電力の供給を受ける。
【００２３】
このように、第１電源２８ａがオフにされている間は、マイコン３０がプッシュスイッチ１８の押下を検出する。第１電源２８ａがオンにされると、ＣＰＵ４４が起動する。ＣＰＵ４４は、起動して初期化などが完了すると、マイコン３０に対して起動完了を示す信号を出力する。マイコン３０は、ＣＰＵ４４の起動が完了したことを示す信号を受入れると、プッシュスイッチ１８の押下の検出を止める。マイコン３０がプッシュスイッチ１８の押下の検出を止めた後は、ＣＰＵ４４がプッシュスイッチ１８の押下の検出を行う。
【００２４】
第１電源２８ａがオンにされた後にプッシュスイッチ１８が押下されると、ＣＰＵ４４は、プッシュスイッチ１８の押下を検出してソフトウェアの動作を停止させ、図示しないＨＤＤ又は不揮発性メモリ３８などの不揮発性デバイスへのアクセスを停止させる。ＣＰＵ４４は、ソフトウェアの動作や不揮発性デバイスへのアクセスを停止させることなどの停止処理を完了すると、第１電源２８ａをオフにする準備が完了したことを示す信号をマイコン３０に対して出力する。
【００２５】
マイコン３０は、第１電源２８ａをオフにする準備が完了したことを示す信号を受入れると、電源制御スイッチ２２をオフにすることにより、第１電源２８ａをオフにする。そして、マイコン３０は、ＣＰＵ４４が予め定められた手順に沿って停止（正常にオフ）したことを示すフラグを例えば不揮発性メモリ３８に書込む。
【００２６】
マイコン３０は、不揮発性メモリ３８に書込まれるフラグの有無により、ＣＰＵ４４が正常にオフ（画像形成装置１が正常にオフ：待機状態）となったか否かを起動時などに判断する。例えば、マイコン３０は、停電などで画像形成装置１が正常にオフとならなかったことを、不揮発性メモリ３８に書込まれるフラグの有無により判断する。
【００２７】
次に、画像形成装置１の電源オン・オフに関する複数の動作をフローチャート等を用いて詳述する。図２は、商用電源が停電から復旧した場合の画像形成装置１の動作を示すフローチャートである。図２に示すように、ステップ１００（Ｓ１００）において、商用電源が停電から復旧すると、コンバータ２０は、画像形成装置１のＡＣ電源から商用電源（交流電圧）の供給を受ける。
【００２８】
ステップ１０２（Ｓ１０２）において、画像形成装置１は、コンバータ２０が第２電源２８ｂを生成（第２電源２８ｂに直流電圧を印加）する。
【００２９】
ステップ１０４（Ｓ１０４）において、画像形成装置１は、第２電源２８ｂが供給する電力により、マイコン３０が起動する。
【００３０】
ステップ１０６（Ｓ１０６）において、マイコン３０は、不揮発性メモリ３８にアクセスを行う。
【００３１】
ステップ１０８（Ｓ１０８）において、マイコン３０は、不揮発性メモリ３８に上述したフラグがあるか否かを判断することにより、画像形成装置１が前回正常にオフ動作を実施したか否かを判断する。マイコン３０は、画像形成装置１が前回正常にオフ動作を実施していないと判断した場合（Ｓ１０８：Ｎｏ）には、Ｓ１１０の処理に進む。また、マイコン３０は、画像形成装置１が前回正常にオフ動作を実施したと判断した場合（Ｓ１０８：Ｙｅｓ）には、処理を終了する。つまり、マイコン３０は、画像形成装置１が前回正常にオフ動作を実施したと判断した場合、プッシュスイッチ１８の押下を待つこととなる。
【００３２】
ステップ１１０（Ｓ１１０）において、画像形成装置１は、マイコン３０が電源制御スイッチ２２をオンにして、第１電源２８ａからコントローラ４、パネル１０、プロッタ１２、スキャナ１４及びファックス１６へ直流電圧を印加（第１電源を供給）する。
【００３３】
ステップ１１２（Ｓ１１２）において、画像形成装置１は、コントローラ４、パネル１０、プロッタ１２、スキャナ１４及びファックス１６が起動し、待機状態から動作状態に移行する。
【００３４】
図３は、主電源（第１電源２８ａ）がオンになる場合の画像形成装置１の動作例を示すフローチャートである。図３に示すように、ステップ２００（Ｓ２００）において、プッシュスイッチ１８は、押下を実施される。
【００３５】
ステップ２０２（Ｓ２０２）において、マイコン３０は、プッシュスイッチ１８の押下を検出する。
【００３６】
ステップ２０４（Ｓ２０４）において、画像形成装置１は、マイコン３０が電源制御スイッチ２２をオンにして、第１電源２８ａからコントローラ４、パネル１０、プロッタ１２、スキャナ１４及びファックス１６へ直流電圧を印加（第１電源を供給）する。
【００３７】
ステップ２０６（Ｓ２０６）において、画像形成装置１は、コントローラ４、パネル１０、プロッタ１２、スキャナ１４及びファックス１６が起動し、待機状態から動作状態に移行する。
【００３８】
図４は、主電源（第１電源２８ａ）がオフになる場合の画像形成装置１の動作例を示すフローチャートである。図４に示すように、ステップ３００（Ｓ３００）において、第１電源２８ａがオンの状態で、プッシュスイッチ１８は、押下を実施される。
【００３９】
ステップ３０２（Ｓ３０２）において、プッシュスイッチ１８の押下をコントローラ４のＣＰＵ４４が検知する。
【００４０】
ステップ３０４（Ｓ３０４）において、コントローラ４が不揮発性メモリ３８及び図示しないＨＤＤなどへのアクセスなどを停止するシャットダウン処理を実施する。
【００４１】
ステップ３０６（Ｓ３０６）において、コントローラ４は、シャットダウン処理が終了し、第１電源２８ａをオフにしてよいことをマイコン３０に対して通知する。
【００４２】
ステップ３０８（Ｓ３０８）において、マイコン３０は、シャットダウン処理が正常に終了したことを不揮発性メモリ３８に記録する。
【００４３】
ステップ３１０（Ｓ３１０）において、マイコン３０が電源制御スイッチ２２をオフにすることにより、第１電源２８ａをオフにする。
【００４４】
図５は、電源プラグ２００がコンセントに接続された後に、短時間停電が生じた場合の第１電源２８ａ、第２電源２８ｂ及びその周辺の動作を示すタイミングチャートである。電源プラグ２００がコンセントに接続されると、商用電源が画像形成装置１に供給される（ＡＣ電源ＯＮ）。画像形成装置１に商用電源が供給されると、第２電源２８ｂの電圧が上昇する。
【００４５】
第２電源２８ｂの電圧が予め定められた電圧（ＲＳＴＢ検知レベル）以上になると、マイコン３０は、ＲＳＴＢ＿Ｎ（リセット信号）によってリセットが解除される。つまり、マイコン３０は、リセットが解除されることによって起動する。
【００４６】
マイコン３０が起動した後にプッシュスイッチ１８が押下（電源ＯＮイベント発生）されると、マイコン３０は、プッシュスイッチ１８の押下を検知する。そして、マイコン３０は、プッシュスイッチ１８の押下を検知すると、電源制御スイッチ２２をオンにすることにより、第１電源２８ａをオンにする。
【００４７】
第１電源２８ａがオンにされて、第１電源２８ａの電圧が予め定められた電圧（ＲＳＴＡ検知レベル）以上になると、ＣＰＵ４４は、ＲＳＴＡ＿Ｎ（リセット信号）によってリセットが解除される。つまり、ＣＰＵ４４は、リセットが解除されることによって起動する。
【００４８】
停電になると、第２電源２８ｂ及び第１電源２８ａの電圧は低下し始める。第２電源２８ｂの電圧がＲＳＴＢ検知レベル未満になると、ＲＳＴＢ＿Ｎによってマイコン３０のリセットがアサートされる。マイコン３０は、リセットがアサートされると動作を停止し、ＧＰＩＯ３３，３４，３５，３６が初期値に戻る。ＧＰＩＯ３４が出力するＰＯＷＥＲ＿ＯＮも初期の論理となる。ＰＯＷＥＲ＿ＯＮの初期の論理は、電源制御スイッチ２２をオフにする論理にされている。つまり、電源制御スイッチ２２がオフとなることにより、第１電源２８ａはオフとなる。
【００４９】
停電が復旧すると、第２電源２８ｂの電圧は上昇する。第２電源２８ｂの電圧がＲＳＴＢ検知レベル以上になると、マイコン３０は、リセットが解除されることによって起動する。マイコン３０は、不揮発性メモリ３８へのアクセスによって前回正常にシャットダウンしていないと判断する。そして、マイコン３０は、電源制御スイッチ２２をオンにすることにより、第１電源２８ａをオンにする。
【００５０】
このように、第２リセットＩＣ２６は、第２電源２８ｂの電圧が予め定められた電圧未満になった場合には、電源制御スイッチ２２が第１電源２８ａをオフに切替えるようにマイコン３０に対する設定（リセット）を行う。また、第２リセットＩＣ２６は、第２電源２８ｂの電圧が予め定められた電圧以上になった場合には、電源制御スイッチ２２が第１電源２８ａをオンに切替えるようにマイコン３０に対する設定を行う。つまり、第２リセットＩＣ２６は、マイコン３０に対する設定を変更する設定変更部となっている。
【００５１】
また、第１リセットＩＣ２４は、第１電源２８ａの電圧が予め定められた電圧以上になった場合には、ＣＰＵ４４（又はコントローラ４）を起動させる。また、第１リセットＩＣ２４は、第１電源２８ａの電圧が予め定められた電圧未満になった場合には、ＣＰＵ４４（又はコントローラ４）を停止させる。つまり、第１リセットＩＣ２４は、ＣＰＵ４４（又はコントローラ４）の起動及び停止を制御する起動停止制御部となっている。
【００５２】
なお、停電の時間がさらに短く、第２電源２８ｂの電圧がＲＳＴＢ検知レベル未満にならなかった場合には、画像形成装置１は、動作し続けることができ、電源の問題は生じない。つまり、画像形成装置１は、停電の時間によらず、停電復旧後に起動可能である。
【００５３】
次に、マイコン３０が停電後に第１電源２８ａをオンにするタイミングについて詳述する。マイコン３０は、停電後に第１電源２８ａをオンにする場合、第１電源２８ａの電圧が十分に（略０Ｖとなるように）低下しきるだけの時間の経過後に、電源制御スイッチ２２をオンにする。
【００５４】
図６は、各電源の電圧が上昇するタイミングを示したタイミングチャートである。図７は、図６に示したタイミングが生じ得る電源系統を示す図である。図６に示すように、画像形成装置１における通常の電源オンでは、第２電源２８ｂの電圧が上昇した後に、第１電源２８ａの電圧が上昇する。
【００５５】
ここで、図７に示すように、例えば第１電源２８ａがＤＣ／ＤＣコンバータ２０２，２０４，２０６によって第１電源−ａ２０８、第１電源−ｂ２１０及び第１電源−ｃ２１２の３つの電源系統に分けられた場合、各電圧の上昇順序（シーケンス）に注意が必要となる。
【００５６】
例えば、第１電源２８ａをオンにした後に第１電源−ａ２０８をオンにしなければ、不具合が生じる可能性があるという制約があるとする。この場合、一般的には、第１電源２８ａがオンとなった後に第１電源２８ａのＰｏｗｅｒ  Ｇｏｏｄを第１電源−ａ２０８のＯＥ（Output  Enable）に入力することにより、上記の制約を守る。
【００５７】
しかし、各電源系統の負荷の違いなどにより、図６に示すように、第１電源２８ａの電圧が十分に低下した後に停電から復旧した場合、第１電源−ａ２０８の電圧が十分に低下しないことがある。つまり、第１電源２８ａ及び第１電源−ａ２０８からそれぞれ電力の供給を受けるデバイスにおいては、各電圧の上昇順序（シーケンス）が制約から外れることが生じ得る。
【００５８】
そこで、マイコン３０は、第１電源２８ａの系統の全ての電圧が低下しきるために必要な時間の経過後に電源制御スイッチ２２をオンにする。よって、マイコン３０は、停電後にも通常の電源オンと同様のシーケンスで全ての電源系統をオンにすることができる。
【００５９】
（第１の変形例）
次に、画像形成装置１の第１の変形例について説明する。図８は、画像形成装置１の第１の変形例（画像形成装置１ａ）の概要を例示する構成図である。画像形成装置１ａは、図１に示した電源部２に対し、リレー２１、二次電池５０及び電池制御部５１が付加された構成となっている。
【００６０】
リレー２１は、オン又はオフすることにより、コンバータ２０に対して交流電圧を印加又は遮断する。二次電池５０は、起電力が第２電源２８ｂと略同じである。電池制御部５１は、リレー２１がオンである間に二次電池５０に蓄電を行い、リレー２１がオフである間は二次電池５０から第２電源２８ｂに電力を供給するよう制御する。また、マイコン３０は、電源制御スイッチ２２が第１電源２８ａをオフに切替えた場合に、リレー２１をオフにする。
【００６１】
また、第１電源２８ａがオンの状態で停電になると、第１電源２８ａの電圧は低下する。第１電源２８ａの電圧がＲＳＴＡ検知レベル未満になると、ＲＳＴＡ＿ＮはＬｏｗとなる。マイコン３０は、ＲＳＴＡ＿ＮがＬｏｗとなったことをＧＰＩＯ３５によって受信することにより、停電などによって第１電源２８ａの電圧がＲＳＴＡ検知レベル未満になったと判断する。マイコン３０は、停電であると判断した場合、リレー２１をオフにしてもよい。
【００６２】
このように、画像形成装置１ａは、電源プラグ２００からの交流電圧をリレー２１が遮断し、二次電池５０が第２電源２８ｂへ電力を供給する場合、交流電圧による電力消費を０Ｗとして待機状態となることができる。
【００６３】
（第２の変形例）
次に、画像形成装置１の第２の変形例について説明する。図９は、画像形成装置１の第２の変形例（画像形成装置１ｂ）の概要を例示する構成図である。画像形成装置１ｂは、図１に示した電源部２に対し、リレー２１、二次電池５０及び電池制御部５１ａが付加された構成となっている。また、画像形成装置１ｂは、図１に示した電力制御部３がＧＰＩＯ３９を含むマイコン３０ａを有する構成となっている。
【００６４】
電池制御部５１ａは、マイコン３０ａのＧＰＩＯ３９に対し、二次電池５０の蓄電残量が予め定められた蓄電量以上であるか否かを示す蓄電量信号を出力する。マイコン３０ａは、蓄電量信号が示す蓄電残量が予め定められた蓄電量未満である場合には、リレー２１をオンにする。
【００６５】
リレー２１がオンになると、コンバータ２０が交流電圧を直流電圧に変換し、電池制御部５１ａが二次電池５０の蓄電を行う。また、電池制御部５１ａは、二次電池５０に予め定められた電力が蓄積されると、二次電池５０への蓄電を停止する。マイコン３０ａは、二次電池５０への蓄電が停止されると、リレー２１をオフにする。従って、二次電池５０の蓄電残量不足によってマイコン３０ａが動作しなくなることを防止することができる。
【００６６】
（第３の変形例）
次に、画像形成装置１の第３の変形例について説明する。図１０は、画像形成装置１の第３の変形例（画像形成装置１ｃ）の概要を例示する構成図である。画像形成装置１ｃは、図９に示した電源部２に対し、発電部５２が付加された構成となっている。また、電池制御部５１ｂは、電池制御部５１に替えて設けられている。
【００６７】
電池制御部５１ｂは、コンバータ２０が出力する直流電圧を第２電源２８ｂに印加しつつ、二次電池５０に蓄電を行う。また、電池制御部５１ｂは、コンバータ２０が変換した直流電圧よりも発電部５２が発電した電力を優先して第２電源２８ｂに電力供給し、余剰電力を二次電池５０に蓄電するよう制御する。従って、第１電源２８ａがオフの状態で二次電池５０の蓄電量が不足してしまうことを防止することができる。
【００６８】
（第４の変形例）
次に、画像形成装置１の第４の変形例について説明する。図１１は、画像形成装置１の第４の変形例（画像形成装置１ｄ）の概要を例示する構成図である。画像形成装置１ｄは、図９に示したコントローラ４が有するネットワークＩＦ４４２をマイコン３０ｂが有する構成となっている。従って、コントローラ４がオフにされても、第２電源２８ｂが供給する電力により動作するマイコン３０ｂによって通信を行うことができる。
【００６９】
（第５の変形例）
次に、画像形成装置１の第５の変形例について説明する。図１２は、画像形成装置１の第５の変形例（画像形成装置１ｅ）の概要を例示する構成図である。画像形成装置１ｅは、図１に示したファックス１６が第２マイコン６に含まれるファックス６０に置き換えられた構成となっている。また、第２マイコン６は、ファックス６０の他に、ＲＡＭ６２、ＧＰＩＯ６４及び不揮発性メモリ６６を有する。第２マイコン６は、ＧＰＩＯ６４がマイコン３０ｂのＧＰＩＯ３６と通信を行うことにより外部の公衆回線からのファクシミリの着呼を受入れる。つまり、画像形成装置１ｅは、マイコン３０ｂを介してファクシミリの着呼を受けることが可能にされ、より省エネルギー化を図ることができる。
【００７０】
なお、上記実施の形態では、本発明の情報処理装置について画像形成装置１を例に挙げて説明したが、これに限定されることなく、第１制御部及び第２制御部を有する他の情報処理装置についても本発明を適用することができる。
【符号の説明】
【００７１】
１，１ａ，１ｂ，１ｃ，１ｄ，１ｅ  画像形成装置
１０  パネル
１２  プロッタ
１４  スキャナ
１６，６０  ファックス
１８  プッシュスイッチ
２  電源部
２０  コンバータ
２１  リレー
２２  電源制御スイッチ
２４  第１リセットＩＣ
２６  第２リセットＩＣ
２８ａ  第１電源
２８ｂ  第２電源
２００  電源プラグ（ＡＣ電源）
３  電力制御部
３０  マイコン
３２  ＲＳＴ
３３，３４，３５，３６，３９  ＧＰＩＯ
３８  不揮発性メモリ
４  コントローラ
４４２  ネットワークＩＦ
４４３  ＲＳＴ
５０  二次電池
５１，５１ａ，５１ｂ  電池制御部
５２  発電部
６  第２マイコン
【先行技術文献】
【特許文献】
【００７２】
【特許文献１】特開２０１１−１６０５２６号公報
【図１】
2014123345.tif 000003
【図２】
2014123345.tif 000004
【図３】
2014123345.tif 000005
【図４】
2014123345.tif 000006
【図５】
2014123345.tif 000007
【図６】
2014123345.tif 000008
【図７】
2014123345.tif 000009
【図８】
2014123345.tif 000010
【図９】
2014123345.tif 000011
【図１０】
2014123345.tif 000012
【図１１】
2014123345.tif 000013
【図１２】
2014123345.tif 000014